(57)【特許請求の範囲】
【請求項１】
一方および他方の外カバーを折曲部で連接して一対となしたカバー本体の裏側に手帳の表紙を保持する保持部を設け、前記一方の外カバーの側端部側に筆記具を挿着するペン挿部を設けたペン挿し付きの手帳カバーにおいて、前記一方の外カバーのペン挿部を、前記カバー本体を構成するカバー本体部材の一端部を前記折曲部側へ折り返すと共に、該カバー本体部材の一端部を上下に渡り当該カバー本体部材自体に逢着して筒形状に形成し、前記ペン挿部の上部に、前記カバー本体部材の一端部を逢着した逢着部側から前記折曲部の反対側となる外側へ向かって上方から下方に傾斜するペン挿入口を設けたことを特徴とするペン挿し付きの手帳カバー。
【請求項２】
前記他方の外カバーの側端部側に第二のペン挿部を、前記カバー本体部材の他端部を前記折曲部側へ折り返すと共に、該カバー本体部材の他端部を上下に渡り当該カバー本体部材自体に逢着して筒形状に形成し、当該第二のペン挿部の上部に、前記カバー本体部材の他端部を逢着した逢着部側から前記折曲部の反対側となる外側へ向かって上方から下方に傾斜するペン挿入口を設けたことを特徴とする請求項１に記載のペン挿し付きの手帳カバー。
【発明の詳細な説明】
【技術分野】
【０００１】
本発明は、手帳カバーに関し、さらに詳細には、外カバーの側端部側にペン挿部を設けたペン挿し付きの手帳カバーに関する。
【背景技術】
【０００２】
従来より、手帳カバーの多くでは、筆記具を挿着するペン挿部を設けて、手帳と共に筆記具の携行の利便性を向上させたものが広く普及されている。従来の手帳カバーのペン挿し構造の多くは、特開２０００−３３５１７９号公報にあるように、外カバーの側端部側に設けた輪状のベルトに筆記具を挿着する構造や、実公平７−５５０９９号公報にあるように、背表紙部と手帳との間に空間部を設けて、空間部に筆記具を挿着する構造が一般的である。
【０００３】
しかしながら特開２０００−３３５１７９号公報のように、輪状のベルトに筆記具を挿着した構造では、カバー本体が皮革製で高級感を備えていても、一部だけがカバー本体から突出するベルト部材や、ベルトに挿着した状態で大部分が露出する筆記具のために、見栄えを悪くしてしまうことがあり、また手帳をカバンなどに入れる際に、ベルトに挿着した筆記具のペン先でカバンの中のほかの荷物を傷付けてしまうことが心配であったり、あるいは筆記具がベルトを支点に回転してベルトが取れてしまう虞があった。また、手帳カバーのベルトに筆記具を保持させる構造では、輪状のベルトに対して筆記具の着脱がやりにくかったり、クリップを有しない筆記具においては、ベルトの内径より細い外径の筆記具をベルトに保持させた際に筆記具が抜け落ちてしまった。
【０００４】
また手帳カバーの背表紙部にペン挿し用の空間部を設ける構造では、背表紙部から筆記具を抜き取った状態で手帳カバーを机に開いて置いた時に、手帳カバーの背表紙部がだぶついて段差が生じ、手帳への筆記が行いにくくなる場合があった。尚、実公平７−５５０９９号公報の構造によれば、手帳カバーの背表紙から筆記具を抜き取って机に開いた状態にしても、背表紙部がだぶつくことによる段差は生じないが、当該公報の図に記載されているように、手帳が手帳カバーの表側と裏側との二冊に分けられ、手帳の表表紙部あるいは裏表紙部のいずれかは、カバーに保持されないで剥き出しの状態となり、表紙が汚れやすかったり、手帳が手帳カバーから外れやすいという問題があった。
【特許文献１】「特開２０００−３３５１７９号公報」
【特許文献２】「実公平７−５５０９９号公報」
【発明の開示】
【発明が解決しようとする課題】
【０００５】
本発明はこうした問題を鑑みて、ペン挿部が強度的に優れると共に、手帳をカバンなどに入れて携行する場合においても、カバンの中のほかの荷物を、ペン挿部に挿着した筆記具のペン先で傷付けてしまうことを防ぎ、また筆記具がペン挿部に挿着しやすく、クリップを有しない細径の筆記具であっても挿着したペン挿部から筆記具が抜け落ちにくく、手帳カバーの高級感をペン挿部によって阻害してしまうことがない構造のペン挿し付きの手帳カバーを提供することを目的とする。
【課題を解決するための手段】
【０００６】
本発明は、
「１．一方および他方の外カバーを折曲部で連接して一対となしたカバー本体の裏側に手帳の表紙を保持する保持部を設け、前記一方の外カバーの側端部側に筆記具を挿着するペン挿部を設けたペン挿し付きの手帳カバーにおいて、前記一方の外カバーのペン挿部を、前記カバー本体を構成するカバー本体部材の一端部を前記折曲部側へ折り返すと共に、該カバー本体部材の一端部を上下に渡り当該カバー本体部材自体に逢着して筒形状に形成し、前記ペン挿部の上部に、前記カバー本体部材の一端部を逢着した逢着部側から前記折曲部の反対側となる外側へ向かって上方から下方に傾斜するペン挿入口を設けたことを特徴とするペン挿し付きの手帳カバー。
２．前記他方の外カバーの側端部側に第二のペン挿部を、前記カバー本体部材の他端部を前記折曲部側へ折り返すと共に、該カバー本体部材の他端部を上下に渡り当該カバー本体部材自体に逢着して筒形状に形成し、当該第二のペン挿部の上部に、前記カバー本体部材の他端部を逢着した逢着部側から前記折曲部の反対側となる外側へ向かって上方から下方に傾斜するペン挿入口を設けたことを特徴とする１項に記載のペン挿し付きの手帳カバー。」である。
【０００７】
本発明における手帳カバーの折曲部は、一方の外カバーと他方の外カバーとを折り返す部分であり、厚みのある手帳に対応させるべく横巾のある背表紙としても、あるいは一方と他方の外カバーを単に直線的に折り返したものであってもよい。また、手帳の表紙を保持する保持部は、外カバーの内側に手帳の表紙を挿入して保持させるポケット部としたり、あるいは外カバーの内側にベルトで保持させる構造としてもよい。尚、カバー本体を構成するカバー本体部材を皮革製とする場合、手帳の表紙を保持する保持部を同材料からなるポケット部材で形成することで、カバー本体とポケット部との一体感が生じて高級感が増すものとなり好ましい。
【０００８】
また外カバーの側端部側に設けるペン挿部は、カバー本体を構成するカバー本体部材の一端部あるいは他端部を折曲部側へ表側あるいは裏側に折り返すと共に、折り返したカバー本体部材の一端部または他端部を当該カバー本体部材自体に逢着することで筒形状に形成するが、特にカバー本体部材の一端部または他端部を裏側に折り返した方が、手帳カバーを表から見た時の見栄えがよくなる。またペン挿部の上部に形成するペン挿入口の傾斜は、直線的でも円弧や楕円弧のような曲線的でも、あるいは直線と曲線とを組合せた形状であってもよい。尚、手帳カバーの一方の外カバーのみにペン挿部を設ける場合には、手帳カバーを閉じた状態において、他方の外カバーの側端部より一方の外カバーのペン挿部が外方に突出するよう形成することで、手帳を捲る際に、手帳カバーのペン挿部に指を当てて捲りやすいものとなり、またペン挿部への筆記具の着脱がしやすいものとなる。
【発明の効果】
【０００９】
本発明は、カバー本体部材の一端部あるいは他端部を上下に渡り当該カバー本体部材自体に逢着してカバー本体にペン挿部を一体で筒形状に形成することにより、ペン挿部が強度的に優れたものとなり、またペン先を含め筆記具の大部分をペン挿部に収容できるので、ペン挿部に筆記具を挿着させた状態における手帳カバーとしての見た目に変化が少く、手帳をカバンなどに入れて携行する場合であっても、ペン先でカバンの中のほかの荷物を傷付けてしまう心配が少なく、またクリップを有しない細径の筆記具であっても、ペン挿部から抜け落ちにくいものとなった。さらに筆記具をペン挿部に収容することで、筆記具が手帳カバーの折れ曲がりを防止する支えとなり、手帳の端を折れにくくさせることができる。またペン挿部のペン挿入口が傾斜しているので筆記具の着脱が容易となり、クリップの基部より頭冠が上方に突出した筆記具を挿着する場合であっても、筆記具の頭冠が手帳カバーの上端縁に対して出っ張りにくい構造となった。
【００１０】
さらに、ペン挿部を一方の外カバーのみならず、他方の外カバーの両方に設けることにより、二本の筆記具を手帳カバーの各ペン挿部に挿着して携行することができ、各々のペン挿部の巾を変えることで、太い軸径の筆記具にも、細い軸径の筆記具にも対応がしやすいものとなる。
【発明を実施するための最良の形態】
【００１１】
次に図面を参照しながら実施例の説明を行う。図中の同じ部材、同じ部品については、同じ符号としてある。本発明は以下の実施例に限定されるものではない。
尚、手帳カバーの説明において、ペン挿部に筆記具を挿入させる側を上方と表現しその反対側を下方と表現する。また手帳を保持する方を裏側と表現しその反対を表側と表現する。また手帳カバーを開いた状態で裏側から見た時の図面の右側を一方と表現し左側を他方と表現し、また一方の外カバーおよび他方の外カバーにおける折曲部から離間する方向を外側と表現する。
【００１２】
実施例１
図１は第一の実施例の手帳カバーを手帳に装着した状態の斜視図であり、図２は図１の手帳カバーを開いた状態を裏側から見た平面図である。図に示すように手帳カバー１は、手帳１００を被覆するように装着してある。手帳カバー１は、折曲部２で連接して一対となす一方の外カバー３および他方の外カバー４からなるカバー本体５に対し、手帳１００の裏表紙１０１を一方の外カバー３の内側に設けた保持用のポケット部６に保持させ、手帳１００の表表紙１０２を他方の外カバー４の内側に設けた保持用のポケット部７に保持させてある（図２参照）。
【００１３】
また本実施例の手帳カバー１は、一方の外カバー３の側端部３ａ側に、逢着部８ａにて逢着して筒形状に形成したペン挿部８を設けてある。またペン挿部８の上部には、逢着部８ａ側から折曲部２の反対側となる外側へ向かって上方から下方に傾斜させたペン挿入口８ｂを形成して、ペン挿部８に筆記具２００の軸筒２０１を挿入しやすくすると共に、クリップ２０２の係止状態を安定させ、またクリップ２０２をペン挿入口８ｂに係止させた状態において、頭冠２０３が手帳カバー１の上端縁に対して出っ張りにくい構造としてある。また本実施例では、手帳カバー１を閉じた状態において、一方の外カバー３に設けたペン挿部８が他方の外カバー４の側端部４ａ側より外方に突出するよう形成してある（図１参照）。
【００１４】
次に図３〜図５を用いて第一の実施例の手帳カバーの製造工程に関する説明を行う。図３はカバー本体部材とポケット部材とを縫製する前の図である。カバー本体部材５ａは革製で、長方形形状に裁断してあり、上端の一箇所に切欠部５ｂを設けてある。切欠部５ｂは二つの垂直部５ｃ，５ｄと半円状の円弧部５ｅからなる。またポケット部材６ａ，７ａは、前記カバー本体部材５ａと同じく革製で、長方形形状に裁断したものである。尚、図３はカバー本体部材５ａを裏側から見たものであり、図中の矢印Ｓ方向にカバー本体部材５ａの縁辺を折り返して縫製を行う。この時同時にポケット部材６ａはカバー本体部材５ａの上下辺に、ポケット部材７ａはカバー本体部材５ａの上下辺および左辺に一緒に縫い付ける。
【００１５】
図４は図３の次工程を示す図である。図４ではカバー本体部材５ａの一端部５ｆを切欠部５ｂの中心線Ｌに沿って矢印Ｔ方向へ裏側に折り返し、一端部５ｆをカバー本体部材５ａ自体の上下に渡り縫い付けて筒形状のペン挿部８（図１参照）を形成する。図５は完成した手帳カバーを開いた状態で裏側から見た平面図である。図５の手帳カバー１は、図の右側に図１にて説明した一方の外カバー３が位置し、図の左側に他方の外カバー４が位置している。一方の外カバー３の内側にはポケット部材６ａ（図３参照）によるポケット部６が形成されており、他方の外カバー４の内側にはポケット部材７ａ（図３参照）によるポケット部７が形成されている。また一方の外カバー３の側端部３ａ側には逢着部８ａで逢着して筒形状としたペン挿部８が形成されており、ペン挿部８の上部には、逢着部８ａ側から折曲部２の反対側となる外側（図面右側）に向かって上方から下方へ傾斜したペン挿入口８ｂが形成されている。
【００１６】
実施例２
図６は第二の実施例の手帳カバーを手帳に装着した状態の斜視図であり、図７は図６の手帳カバーを開いた状態を裏側から見た平面図である。図に示すように手帳カバー１０は、手帳３００を被覆するように装着してある。手帳カバー１０は、背表紙部２０で連接して一対となす一方の外カバー３０および他方の外カバー４０からなるカバー本体５０に対し、手帳３００の裏表紙３０１を一方の外カバー３０の内側に設けた保持用のポケット部６０に保持させ、手帳３００の表表紙３０２を他方の外カバー４０の内側に設けた保持用のポケット部７０に保持させており、手帳３００の背表紙に手帳カバー１０の背表紙部２０が位置するようにしてある（図７参照）。
【００１７】
また本実施例の手帳カバー１０は、一方の外カバー３０の側端部３０ａ側に、逢着部８０ａにて逢着して筒形状に形成したペン挿部８０を設けてある。またペン挿部８０の上部には、逢着部８０ａ側から背表紙部２の反対側となる外側へ向かって上方から下方に傾斜させたペン挿入口８０ｂを形成して、ペン挿部８０に筆記具２００の軸筒２０１を挿入しやすくすると共に、クリップ２０２の係止状態を安定させ、またクリップ２０２をペン挿入口８ｂに係止させた状態において、頭冠２０３が手帳カバー１０の上端縁に対して出っ張りにくい構造としてある。
【００１８】
また本実施例の手帳カバー１０は、他方の外カバー４０の側端部４０ａ側にも、逢着部８１ａにて逢着して筒形状に形成した第二のペン挿部８１を設けてある。またペン挿部８１の上部には、逢着部８１ａ側から背表紙部２の反対側となる外側へ向かって上方から下方に傾斜させたペン挿入口８１ｂを形成して、ペン挿部８１に筆記具４００の軸筒４０１を挿入しやすくすると共に、クリップ４０２の係止状態を安定しやすくしてある。また本実施例の他方の外カバー４０側のペン挿部８１は、一方の外カバー３０側の第二のペン挿部８０の巾より狭く形成してあり、細軸の筆記具を挿着するのに適した形状にしてある（図６参照）。
【００１９】
次に図８〜図１０を用いて第二の実施例の手帳カバーの製造工程に関する説明を行う。図８はカバー本体部材とポケット部材とを縫製する前の図である。カバー本体部材５０ａは革製で、長方形形状に裁断してあり、上端の二箇所に切欠部５０ｂ，５１ｂを設けてある。切欠部５０ｂは、二つの垂直部５０ｃ，５０ｄと半円状の円弧部５０ｅからなり、切欠部５１ｂは、二つの垂直部５１ｃ，５１ｄと半円状の円弧部５１ｅからなる。切欠部５１ｂの垂直部５１ｃと垂直壁５１ｄの間隔は、切欠部５０ｂの垂直壁５０ｃと垂直壁５０ｄの間隔より狭く、半円状の円弧部５１ｅの径は、円弧部５０ｅの径より小さくしてある。またポケット部材６０ａ，７０ａは、前記カバー本体部材５０ａと同じく革製で、長方形形状に裁断したものである。尚、図８はカバー本体部材５０ａを裏側から見たものであり、図中の矢印Ｓ方向にカバー本体部材５０ａの縁辺を折り返して縫製を行う。この時同時にポケット部材６０ａはカバー本体部材５０ａの上下辺に、ポケット部材７０ａはカバー本体部材５０ａの上下辺に一緒に縫い付ける。
【００２０】
図９は図８の次工程を示す図である。図９ではカバー本体部材５０ａの一端部５０ｆを、切欠部５０ｂの中心線Ｍに沿って矢印Ｔ方向へ裏側に折り返し、一端部５０ｆをカバー本体部材５０ａ自体の上下に渡り縫い付けて筒形状のペン挿部８０（図６参照）を形成する。またカバー本体部材５０ａの他端部５１ｆを、切欠部５１ｂの中心線Ｎに沿って矢印Ｕ方向へ裏側に折り返し、他端部５１ｆをカバー本体部材５０ａ自体の上下に渡り縫い付けて筒形状のペン挿部８１（図６参照）を形成する。図１０は完成した手帳カバーを開いた状態で裏側から見た平面図である。図１０の手帳カバー１０は、図の右側に図６にて説明した一方の外カバー３０が位置し、図の左側に他方の外カバー４０が位置している。一方の外カバー３０の内側にはポケット部材６０ａ（図８参照）によるポケット部６０が形成されており、他方の外カバー４０の内側にはポケット部材７０ａ（図８参照）によるポケット部７０が形成されている。また一方の外カバー３０の側端部３０ａ側には逢着部８０ａで逢着して筒形状としたペン挿部８０が形成されており、ペン挿部８０の上部には、逢着部８０ａ側から折曲部２０の反対側となる外側（図面右側）に向かって上方から下方へ傾斜したペン挿入口８０ｂが形成されている。また他方の外カバー４０の側端部４０ａ側には逢着部８１ａで逢着して筒形状とした第二のペン挿部８１が形成されており、ペン挿部８１の上部には、逢着部８１ａ側から折曲部２０の反対側である外側（図面左側）に向かって上方から下方へ傾斜したペン挿入口８１ｂを設けてある。
【産業上の利用可能性】
【００２１】
本発明による構造は、 本を被覆するブックカバーに用いることも可能である。
【図面の簡単な説明】
【００２２】
【図１】第一の実施例の手帳カバーを手帳に装着した状態の斜視図である。
【図２】図１の手帳カバーを開いた状態を裏側から見た平面図である。
【図３】カバー本体部材とポケット部材とを縫製する前の図である。
【図４】図３の次工程を示す図である。
【図５】完成した手帳カバーを開いた状態で裏側から見た平面図である。
【図６】第二の実施例の手帳カバーを手帳に装着した状態の斜視図である。
【図７】図６の手帳カバーを開いた状態を裏側から見た平面図である。
【図８】カバー本体部材とポケット部材とを縫製する前の図である。
【図９】図８の次工程を示す図である。
【図１０】完成した手帳カバーを開いた状態で裏側から見た平面図である。
【符号の説明】
【００２３】
１…手帳カバー、２…折曲部、
３…一方の外カバー、３ａ…側端部、
４…他方の外カバー、４ａ…側端部、
５…カバー本体、５ａ…カバー本体部材、５ｂ…切欠部、５ｃ…垂直部、
５ｄ…垂直部、５ｅ…円弧部、５ｆ…一端部,
６…ポケット部、６ａ…ポケット部材、７…ポケット部、７ａ…ポケット部材、
８…ペン挿部、８ａ…逢着部、８ｂ…ペン挿入口、
１００…手帳、１０１…裏表紙、１０２…表表紙、
２００…筆記具、２０１…軸筒、２０２…クリップ、２０３…頭冠、
１０…手帳カバー、２０…背表紙部、
３０…一方の外カバー、３０ａ…一端部、
４０…他方の外カバー、４０ａ…一端部、、
５０…カバー本体、５０ａ…カバー本体部材、５０ｂ…切欠部、
５０ｃ…垂直部、５０ｄ…垂直部、５０ｅ…円弧部、５０ｆ…一端部、
５１ｃ…垂直部、５１ｄ…垂直部、５１ｅ…円弧部、５１ｆ…他端部、
６０…ポケット部、６０ａ…ポケット部材、
７０…ポケット部、７０ａ…ポケット部材、
８０…ペン挿部、８０ａ…逢着部、８０ｂ…ペン挿入口、
８１…第二のペン挿部、８１ａ…逢着部、８１ｂ…ペン挿入口、
３００…手帳、３０１…裏表紙、３０２…表表紙、
４００…筆記具、４０１…軸筒、４０２…クリップ。
【図１】
0005030298.tif 000002
【図２】
0005030298.tif 000003
【図３】
0005030298.tif 000004
【図４】
0005030298.tif 000005
【図５】
0005030298.tif 000006
【図６】
0005030298.tif 000007
【図７】
0005030298.tif 000008
【図８】
0005030298.tif 000009
【図９】
0005030298.tif 000010
【図１０】
0005030298.tif 000011